(57)【特許請求の範囲】
【請求項１】
電動モータのトルクをトルク伝達機構を経由させてワイパに伝達し、前記ワイパを往復動作させて対象物の払拭面を払拭するワイパ装置であって、
前記ワイパを複数回往復動作させる際に、前記電動モータのトルクを第１の値に設定して前記ワイパを往復動作させる第１制御と、前記電動モータのトルクを前記第１の値とは異なる第２の値に設定して前記ワイパを往復動作させる第２制御とを、切り替えて行うトルク制御部を有し、
前記トルク制御部は、前記第１制御と前記第２制御とを、前記ワイパの往復動作回数毎に切り替え、
前記第１制御を行う前記ワイパの往復動作回数は、前記第２制御を行う前記ワイパの往復動作回数以上である、ワイパ装置。
【請求項２】
電動モータのトルクをトルク伝達機構を経由させてワイパに伝達し、前記ワイパを往復動作させて対象物の払拭面を払拭するワイパ装置であって、
前記ワイパを複数回往復動作させる際に、前記電動モータのトルクを第１の値に設定して前記ワイパを往復動作させる第１制御と、前記電動モータのトルクを前記第１の値とは異なる第２の値に設定して前記ワイパを往復動作させる第２制御とを、切り替えて行うトルク制御部を有し、
前記トルク制御部は、前記第１制御を行って前記ワイパを上反転位置と下反転位置との間で往復動作させている場合に、前記ワイパが前記下反転位置に到達しない場合は、前記第１制御と前記第２制御と切り替えて行う、ワイパ装置。
【請求項３】
請求項１または２に記載されたワイパ装置において、
前記トルク伝達機構は、前記電動モータのロータ軸に形成されたウォームと、前記ウォームに噛み合うギヤが形成されたウォームホイールと、を有する、ワイパ装置。
【請求項４】
請求項３に記載されたワイパ装置において、
前記ウォームホイールと同軸に設けられ、かつ、前記ウォームホイールと一体回転する出力軸を有し、
前記ワイパは、前記出力軸を中心として上反転位置と下反転位置との間で往復動作する、ワイパ装置。
【請求項５】
請求項１〜４のいずれか１項に記載されたワイパ装置において、
前記トルク制御部は、前記第１の値と前記第２の値とを５Ｎｍ以上異ならせる、ワイパ装置。
【請求項６】
請求項１〜５のいずれか１項に記載されたワイパ装置において、
前記トルク制御部は、前記第１制御を行って前記ワイパを往復動作させている場合に、前記払拭面に積雪がある場合は、前記第１制御と前記第２制御とを切り替えて行う、ワイパ装置。
【請求項７】
請求項１〜５のいずれか１項に記載されたワイパ装置において、
前記トルク制御部は、前記第１制御を行って前記ワイパを往復動作させている場合に、前記払拭面に積雪がある場合は、前記第１制御を行わずに前記第２制御を行う、ワイパ装置。
【請求項８】
請求項２または４に記載されたワイパ装置において、
前記払拭面の前記下反転位置の近傍に、積雪を検知する複数の積雪検知センサが設けられている、ワイパ装置。
【発明の詳細な説明】
【技術分野】
【０００１】
本発明は、電動モータのトルクでワイパを往復動作させるワイパ装置に関する。
【背景技術】
【０００２】
従来、車両のウィンドシールを払拭して、視界を確保するためにワイパ装置が設けられており、そのワイパ装置の一例が、特許文献１、２、３に記載されている。特許文献１に記載されたワイパ装置は、いわゆるオポジット型と呼ばれる構造であり、このワイパ装置は、単数の電動モータのトルクがリンク機構を介して、２本のワイパに伝達される。
【０００３】
特許文献２に記載されたワイパ装置は、いわゆるデュアル型と呼ばれる構造であり、このワイパ装置は第１の電動モータ及び第２の電動モータを有し、第１の電動モータのトルクが第１リンク機構を介して第１ワイパに伝達され、第２の電動モータのトルクが第２リンク機構を介して第２ワイパに伝達される。
【０００４】
特許文献３に記載されたワイパ装置は、デュアルダイレクト型と呼ばれる構造であり、このワイパ装置は第１の電動モータ及び第２の電動モータを有し、第１の電動モータのトルクが、リンク機構を介さずに第１ワイパに伝達され、第２の電動モータのトルクが、リンク機構を介さずに第２ワイパに伝達される。
【先行技術文献】
【特許文献】
【０００５】
【特許文献１】特開２００７−１８２１５４号公報
【特許文献２】特開２００９−１１３５６９号公報
【特許文献３】仏国特許出願公開第２９６５２３２号明細書
【発明の概要】
【発明が解決しようとする課題】
【０００６】
特許文献１、２に記載されたワイパ装置は、電動モータのトルクをリンク機構により増幅してワイパに伝達できるため、異物を除去する性能が高い。一方、特許文献１、２に記載されたワイパ装置は、リンク機構を設ける分、部品点数が増加し、配置スペースが広くなる。
【０００７】
特許文献３に記載されたワイパ装置は、リンク機構が設けられていないため、部品点数が少なく、配置スペースが狭くてすむ。しかし、特許文献３に記載されたワイパ装置は、リンク機構が設けられていないため、電動モータからワイパに伝達されるトルクを増幅することはできない。このため、特許文献３に記載されたワイパ装置では、異物を除去する性能が十分でない。
【０００８】
特許文献３に記載されたワイパ装置において、電動モータの出力トルクを高く設定することも可能である。しかしながら、電動モータのトルクをワイパに伝達するトルク伝達機構、具体的には、電動モータのロータ軸に形成されたウォームと、ウォームホイールに形成されたギヤとの噛み合い部分の耐久性が低下するという別の問題が生じるため実用的ではなかった。
【０００９】
本発明の目的は、ワイパの払拭性能を向上させ、かつ、トルク伝達機構の耐久性が低下することを抑制できる、ワイパ装置を提供することにある。
【課題を解決するための手段】
【００１０】
本発明は、電動モータのトルクをトルク伝達機構を経由させてワイパに伝達し、前記ワイパを往復動作させて対象物の払拭面を払拭するワイパ装置であって、前記ワイパを複数回往復動作させる際に、前記電動モータのトルクを第１の値に設定して前記ワイパを往復動作させる第１制御と、前記電動モータのトルクを前記第１の値とは異なる第２の値に設定して前記ワイパを往復動作させる第２制御とを、切り替えて行うトルク制御部を有し、前記トルク制御部は、前記第１制御と前記第２制御とを、前記ワイパの往復動作回数毎に切り替え、前記第１制御を行う前記ワイパの往復動作回数は、前記第２制御を行う前記ワイパの往復動作回数以上である。
本発明は、電動モータのトルクをトルク伝達機構を経由させてワイパに伝達し、前記ワイパを往復動作させて対象物の払拭面を払拭するワイパ装置であって、前記ワイパを複数回往復動作させる際に、前記電動モータのトルクを第１の値に設定して前記ワイパを往復動作させる第１制御と、前記電動モータのトルクを前記第１の値とは異なる第２の値に設定して前記ワイパを往復動作させる第２制御とを、切り替えて行うトルク制御部を有し、前記トルク制御部は、前記第１制御を行って前記ワイパを上反転位置と下反転位置との間で往復動作させている場合に、前記ワイパが前記下反転位置に到達しない場合は、前記第１制御と前記第２制御と切り替えて行う。
【００１１】
本発明は、前記トルク伝達機構は、前記電動モータのロータ軸に形成されたウォームと、前記ウォームに噛み合うギヤが形成されたウォームホイールと、を有する。
【００１２】
本発明は、前記ウォームホイールと同軸に設けられ、かつ、前記ウォームホイールと一体回転する出力軸を有し、前記ワイパは、前記出力軸を中心として上反転位置と下反転位置との間で往復動作する。
【００１３】
本発明は、前記トルク制御部は、前記第１の値と前記第２の値とを５Ｎｍ以上異ならせる。
【００１６】
本発明は、前記トルク制御部は、前記第１制御を行って前記ワイパを往復動作させている場合に、前記払拭面に積雪がある場合は、前記第１制御と前記第２制御とを切り替えて行う。
【００１７】
本発明は、前記トルク制御部は、前記第１制御を行って前記ワイパを往復動作させている場合に、前記払拭面に積雪がある場合は、前記第１制御を行わずに前記第２制御を行う。
【００１８】
本発明は、前記払拭面の前記下反転位置の近傍に、積雪を検知する複数の積雪検知センサが設けられている。
【発明の効果】
【００１９】
本発明によれば、ワイパの払拭性能を向上でき、かつ、トルク伝達機構の耐久性の低下を抑制できる。
【図面の簡単な説明】
【００２０】
【図１】本発明のワイパ装置を有する車両の概念図である。
【図２】図１の駆動機構を示す平面図である。
【図３】本発明のワイパ装置の制御系統を示すブロック図である。
【発明を実施するための形態】
【００２１】
以下、本発明の実施形態を図面に基づいて詳細に説明する。図１は車両１０のフロントガラス１１を払拭するワイパ装置１２を示す。ワイパ装置１２は、助手席側のワイパ１２Ａと、運転席側のワイパ１２Ｂとを含む。車両１０を前方から見て左側にワイパ１２Ａが配置され、右側にワイパ１２Ｂが配置されている。ワイパ１２Ａ及びワイパ１２Ｂは、車両１０を前方から見て左右対称の構造であるため、以下の説明では、一方のワイパ１２Ａについて説明する。
【００２２】
ワイパ１２Ａは、ワイパアーム１４と、ワイパアーム１４に取り付けられたワイパブレード２４とを有する。また、ワイパ１２Ａを動作させる駆動機構１３が設けられている。駆動機構１３は、図２のように、モータハウジング１５内に設けられた電動モータ１６と、ギヤケース１７の内部に設けられたウォームホイール１８とを有する。
【００２３】
電動モータ１６はロータ軸１９を有しており、ロータ軸１９の外周にはウォーム２０が形成されている。ロータ軸１９のうち、ウォーム２０が形成された部位はギヤケース１７の内部に配置されている。ウォームホイール１８の外周にはギヤ２１が形成されており、ギヤ２１とウォーム２０とが噛み合っている。ウォームホイール１８と同軸の出力軸２２が設けられており、ウォームホイール１８と出力軸２２とが一体回転するように支持されている。出力軸２２の一端はギヤケース１７の外部に露出されている。
【００２４】
フロントガラス１１の前側には、金属製または樹脂製のカウルカバー２３が設けられている。カウルカバー２３は車両１０の幅方向に、フロントガラス１１の縁に沿って配置されている。駆動機構１３は、カウルカバー２３の下方に設けられており、出力軸２２の先端はカウルカバー２３の上方に配置されている。なお、上方とは車両１０の外側方向を表し、下方とは車両１０の内側方向を表す。
【００２５】
出力軸２２のうち、カウルカバー２３の上方に配置された部位にワイパアーム１４が連結されている。ワイパアーム１４は出力軸２２に直接連結されており、リンク機構は設けられていない。このため、ワイパ１２Ａは出力軸２２を中心として予め定められた範囲内で揺動、つまり、往復動作可能である。すなわち、出力軸２２はピボット軸としての役割を果たす。ワイパ１２Ａが往復動作すると、ワイパブレード２４が、フロントガラス１１の払拭面、つまり表面を払拭する。なお、ワイパ１２Ａの動作範囲は、電動モータ１６の回転角度により決定される。
【００２６】
ギヤケース１７の下方には制御基板２５が設けられており、制御基板２５はカバーにより覆われている。図３は、電動モータ１６の制御系統を示しており、制御基板２５は、車両１０に搭載された電源２６の電力を電動モータ１６に供給するコントローラ２７を有する。コントローラ２７は、電動モータ１６の回転、停止、回転方向、トルクを制御する要素である。コントローラ２７は、本発明のトルク制御部に相当する。
【００２７】
コントローラ２７は、インバータ回路、ＰＷＭ制御回路、電流検出回路、記憶回路等を有する公知のものである。インバータ回路は、電動モータ１６のコイルへの通電及び非通電を制御するスイッチング素子を有する。コントローラ２７は、検知部２８から入力される信号を処理し、信号の処理結果に基づく判断及び制御を行う。検知部２８は、運転者が操作するワイパスイッチ２８Ａ、ロータ軸１９の回転数及び回転角度を検知する回転センサ２８Ｂ、フロントガラス１１の上面における積雪量、積雪の有無を検知する積雪検知センサ２８Ｃ等を含む。
【００２８】
なお、ワイパ１２Ｂは、ワイパ１２Ａと同様に構成されており、ワイパ１２Ｂを駆動する駆動機構１３が、ワイパ１２Ａの駆動機構１３とは別に設けられている。ワイパ１２Ｂを駆動する駆動機構１３も、ワイパ１２Ａを駆動する駆動機構１３と同様に構成されている。また、ワイパ１２Ｂを駆動する制御系統は、ワイパ１２Ａを駆動する制御系統と同様に構成されている。したがって、ワイパ１２Ａとワイパ１２Ｂとを別々に駆動することができる。このように、ワイパ装置１２は、いわゆるデュアル型と呼ばれる構造であり、このワイパ装置１２は、ワイパ１２Ａを動作する電動モータ１６と、ワイパ１２Ｂを動作する電動モータ１６とを別々に備えている。
【００２９】
次に、ワイパ装置１２の動作及び制御を説明する。ワイパ１２Ａは、ワイパスイッチがオフされていると、ワイパ１２Ａ、１２Ｂは予め定められた初期位置で停止している。ワイパ１２Ａが初期位置で停止していると、ワイパブレード２４はカウルカバー２３の上面に接触している。
【００３０】
これに対して、ワイパスイッチがオン操作されて電源２６の電力が電動モータ１６に供給されるとともに、電動モータ１６のコイルに対する電流の向きが切り替えられて、ロータ軸１９が所定の回転角度の範囲内で正逆回転する。ロータ軸１９のトルクは、ウォームホイール１８を経由して出力軸２２に伝達される。ウォーム２０及びギヤ２１は、ロータ軸１９のトルクを出力軸２２に伝達する際に、ロータ軸１９の回転速度に対してウォームホイール１８の回転速度を減速させる減速機構として機能する。
【００３１】
ウォームホイール１８が正逆回転すると、出力軸２２のトルクがワイパ１２Ａに伝達されて、ワイパ１２Ａが予め定められた下反転位置Ａ１と上反転位置Ｂ１との間で往復動作し、ワイパブレード２４によりフロントガラス１１が払拭される。ここで、下反転位置Ａ１及び上反転位置Ｂ１は、例えば、出力軸２２を中心とするワイパブレード２４の動作位置として把握することができる。
【００３２】
一方、ワイパ１２Ｂも、予め定められた下反転位置と上反転位置との間で往復動作し、ワイパブレード２４によりフロントガラス１１が払拭される。２本のワイパアーム１４の動作中、ワイパアーム１４が下反転位置に到達したときに、ワイパ１２Ａの上側に、ワイパ１２Ｂが位置するように、２個の電動モータ１６の回転方向、回転速度数、回転角度を制御する。その後、ワイパスイッチがオフされると、ワイパ１２Ａが初期位置で停止するように、電動モータ１６のトルクが制御される。なお、下反転位置Ａ１は、停止位置と上反転位置Ｂ１との間にある。
【００３３】
ワイパ装置１２は、ワイパスイッチがオンされてからオフされるまでの間に、下反転位置Ａ１を基準として、ワイパ１２Ａを下反転位置Ａ１と上反転位置Ｂ１との間で、連続して複数回往復動作させることができる。また、ワイパ装置１２は、ワイパ１２Ａの往復動作１回毎に、電動モータ１６のトルクを変更することができる。具体的には、電動モータ１６のトルクを予め定められた値に設定する低トルク制御と、低トルク制御よりも高いトルクに設定する高トルク制御とを実行できる。これは、コントローラ２７に設けられたスイッチング素子のデューティ比を制御することにより、コイルに供給される電流値を制御し、電動モータ１６のトルクを変更する。
【００３４】
低トルク制御における電動モータ１６のトルクは、例えば２０Ｎｍに設定し、高トルク制御における電動モータ１６のトルクは、例えば３０Ｎｍに設定することができる。なお、低トルク制御時の電動モータ１６のトルクと、高トルク制御時の電動モータ１６のトルクとは、５Ｎｍ以上異ならせることが好ましい。これは、電動モータ１６の出力トルクの制御誤差を考慮したものである。
【００３５】
そして、ワイパ１２Ａを２回往復動作させることを１クールとし、ワイパ１２Ａを連続して往復動作させるのであれば、ワイパ１２Ａを１回往復動作させる時に低トルク制御を実行し、ワイパ１２Ａを１回往復動作させる時に高トルク制御を実行することができる。また、１クールでワイパ１２Ａを３回往復動作させる場合は、ワイパ１２Ａを２回往復動作させる時に低トルク制御を実行し、ワイパ１２Ａを１回往復動作させる時に高トルク制御を実行することができる。高トルク制御は第１の払拭制御、低トルク制御は第２の払拭制御である。
【００３６】
さらに、１クールでワイパ１２Ａを４回往復動作させる場合、ワイパ１２Ａを３回往復動作させる時に低トルク制御を実行し、ワイパ１２Ａを１回往復動作させる時に高トルク制御を実行することができる。なお、１クール内で低トルク制御を複数回実行する際は、低トルク制御は連続して行った後、高トルク制御を実行してもよい。また、１クール内で低トルク制御を複数回実行する際は高トルク制御を実行した後、低トルク制御を実行してもよい。さらに、低トルク制御を実行するワイパ１２Ａの往復動作回数は、高トルク制御を実行するワイパ１２Ａの往復動作回数以上にすることができる。
【００３７】
さらに、１クール内で低トルク制御を複数回実行する際は、高トルク制御と低トルク制御とを交互に実行してもよい。すなわち、ワイパ１２Ａを連続的に複数回往復動作させる場合に、予め定められた一定の往復動作回数毎に、高トルク制御を実行する。このように、複数のクールでは、各クール毎に、高トルク制御の実行回数と、低トルクの実行回数との回数比を変更できる。このように、ワイパ装置１２は、ワイパ１２Ａの所定の往復動作回における電動モータ１６のトルクと、所定の往復動作回とは別の往復動作回における電動モータ１６のトルクとを異ならせることができる。
【００３８】
ここで、低トルク制御で設定されるトルク、及び高トルク制御で設定されるトルクが、本発明の第１の値及び第２の値に相当する。なお、第１の値及び第２の値は相互に異なるトルクであればよく、いずれが高トルクで、いずれが低トルクでもよい。例えば、低トルク制御が、本発明の第１制御に相当し、高トルク制御が、本発明の第２制御に相当する。
【００３９】
ところで、電動モータ１６のトルクは、ワイパ１２Ａが１回往復動作する過程において、常時、一定に制御するとは限らない。例えば、電動モータ１６のトルクは、ワイパ１２Ａが下反転位置Ａ１に到達する直前に低下することができる。また、電動モータ１６のトルクは、ワイパ１２Ａが下反転位置Ａ１で反転した直後に上反転位置Ｂ１に向けて動作する際に上昇することができる。
【００４０】
このため、低トルク制御で設定される電動モータ１６のトルク、高トルク制御で設定される電動モータ１６のトルクは、ワイパ１２Ａが上反転位置Ｂ１から下反転位置Ａ１に向けて動作する際の最大トルク、ワイパ１２Ａが１回往復動作する際の平均トルク等で定義される値を含む。
【００４１】
このように、電動モータ１６のトルクを、ワイパ１２Ａの１回の往復動作毎に、規則的に切り替えて設定することで、ワイパ１２Ａに伝達されるトルクを制御できる。仮に、フロントガラス１１上に積雪があると、ワイパブレード２４により雪を払拭し、カウルカバー２３付近で押さえ付けることとなる。電動モータ１６からワイパ１２Ａに伝達されるトルクを高くすれば、カウルカバー２３上の積雪量が増加しても、ワイパブレード２４が積雪を押さえつける力が増加する。したがって、ワイパ１２Ａが払拭動作する範囲が狭くなることを抑制でき、視界を確保できる。
【００４２】
このため、ワイパ１２Ａの連続作動時間をなるべく長くすることができる。連続作動時間は、例えば、ワイパ１２Ａの下反転位置Ａ１が基準位置にある状態から、ワイパ１２Ａの下反転位置Ａ１が積雪の負荷より上昇を開始し、基準位置に対して２０度の限界位置Ｃ１に到達するまでの時間を意味する。基準位置とは、積雪がない状態におけるワイパ１２Ａの下反転位置Ａ１である。つまり、下反転位置Ａ１と上反転位置Ｂ１との間において、ワイパ１２Ａが、出力軸２２を中心として払拭動作する範囲の角度が小さくなることを抑制できる。
【００４３】
また、本実施形態のワイパ装置１２によれば、電動モータ１６からワイパ１２Ａに伝達されるトルクを、常時、高トルクに制御せず、電動モータ１６から高トルクと低トルクとを交互に出力する。すなわち、電動モータ１６のトルクが高トルクとなる頻度、割合、時間等をなるべく少なくすることができる。したがって、ウォーム２０とギヤ２１との噛み合い部分の負荷を軽減でき、ロータ軸１９及びウォームホイール１８の耐久性が低下することを抑制できる。
【００４４】
つまり、ワイパ１２Ａが動作を開始してから、ロータ軸１９及びウォームホイール１８の耐久性が低下するまでに行われるワイパ１２Ａの払拭回数、つまり、往復回数をなるべく多くすることができる。さらに、出力軸２２にリンク機構を介さずにワイパ１２Ａが取り付けられているため、部品点数の増加を抑制でき、駆動機構１３の配置スペースを狭くできる。したがって、ワイパ装置１２のレイアウト性、車載性、車体デザインの自由度が向上する。
【００４５】
本発明は前記実施の形態に限定されるものではなく、その要旨を逸脱しない範囲で種々変更可能であることは言うまでもない。例えば、下反転位置及び上反転位置は、出力軸を中心とするワイパアームの動作位置として把握することも可能である。また、コントローラは、積雪検知センサから入力される信号に基づいて、フロントガラスの上面における積雪量を検知し、積雪量に応じた制御を行うこともできる。積雪量に応じた制御は、積雪量に応じて、低トルク制御と高トルク制御との回数比を変更すること、積雪量に応じて高トルク制御における電動モータのトルクを変更すること、等を含む。
【００４６】
さらに、高トルク制御及び低トルク制御は、２本のワイパの両方で行ってもよいし、反転位置に到達したときに下側となるワイパを動作させる電動モータのみで実行してもよい。さらに、電動モータのトルクは高トルク、低トルクの二段階の他、三段階以上に変更することも可能である。
【００４７】
さらに、先ずデフォルトの制御、つまり、通常の制御として低トルク制御を行い、低トルク制御を行っても、ワイパが上反転位置から下反転位置へと戻らなかった場合は、高トルク制御を行うようにしてもよい。すなわち、常に高トルク制御を行うのではなく、払拭動作する範囲に雪が溜まり、ワイパが下反転位置に戻れなくなった時にのみ、高トルク制御を行う。これにより、ギヤの摩耗、および耐久性の低下を抑制することができる。この時、前記実施の形態のように、低トルク制御と高トルク制御とを、ワイパの往復動作回数毎に切替えてもよいし、ワイパの往復動作回数に関わりなく、高トルク制御のみを行ってもよい。
【００４８】
さらに、下反転位置近傍であり、かつ車幅方向で離間した複数位置に、積雪検知センサを、それぞれ設けるようにしてもよい。そして、コントローラは、複数の積雪検知センサの全てが積雪を検知した場合は、積雪があると判断する。また、コントローラは、全数未満の積雪検知センサが積雪を検知した場合は、積雪がないと判断し、かつ、雪以外の障害物等が下反転位置近傍にあと判断する。そして、コントローラは、雪以外の障害物等が下反転位置近傍にある場合は、高トルク制御を行わず、低トルク制御を行う。このように、ワイパ装置は、圧縮することのできない雪以外の障害物等が下反転位置にある場合は、低トルク制御を行うことで、ギヤの磨耗、および耐久性の低下を防止する。
【００４９】
さらに、本発明は、車両を前方から見て右側に配置されているワイパの下反転位置が、車両を前方から見て左側に配置されているワイパの下反転位置の下方に設定される構造においても適用可能である。この場合、コントローラは、車両を前方から見て右側に配置されているワイパを駆動する電動モータのトルクを制御するにあたり、低トルク制御及び高トルク制御を実行する。
【００５０】
さらに、上記した実施形態では、ワイパが下反転位置に到達した時点で雪を押し固めて、ワイパの動作範囲が狭められることを抑制する例を説明している。本実施形態の制御を実行すれば、車両のフロントピラー付近に雪が積もっていると、ワイパが上反転位置に到達した時点で雪を押し固めることができる。したがって、ワイパの動作範囲が狭められることを抑制できる。
【００５１】
さらに、ワイパで払拭される対象物は、車両のフロントガラスの他、車両のリヤガラスを含む。また、ワイパにより払拭される異物は、雪の他に、泥、埃、枯葉等を含む。さらに、本発明のトルク伝達機構は、ウォームホイール及びロータ軸を含む。なお、本発明のトルク伝達機構は、ロータ軸とウォームホイールとの間に、さらに他のギヤが介在されている構造を含む。
【符号の説明】
【００５２】
１０…車両
１１…フロントガラス
１２…ワイパ装置
１２Ａ、１２Ｂ…ワイパ
１３…駆動機構
１４…ワイパアーム
１５…モータハウジング
１６…電動モータ
１７…ギヤケース
１８…ウォームホイール
１９…ロータ軸
２０…ウォーム
２１…ギヤ
２２…出力軸
２３…カウルカバー
２４…ワイパブレード
２５…制御基板
２６…電源
２７…コントローラ
２８…検知部
２８Ａ…ワイパスイッチ
２８Ｂ…回転センサ
２８Ｃ…積雪検知センサ
Ａ１…下反転位置
Ｃ１…限界位置
Ｂ１…上反転位置
【図１】
0006051122.tif 000002
【図２】
0006051122.tif 000003
【図３】
0006051122.tif 000004